Podtech/llm-jp-corpus-v4-ja_patent huggingface dataset:
【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられる本体枠と、
前記本体枠に収容され、主として遊技領域が形成される遊技板部、及び、当該遊技板部の裏面側略全域に主として演出領域が形成される広域空間保有部を有する遊技演出ユニットと、
遊技機が設置される遊技島から供給される遊技球を貯留可能な賞球タンクと、
遊技の進行に応じて遊技球を払い出す払出装置と、
遊技機内に貯留された遊技球を前記払出装置へ案内する払出通路と、
前記賞球タンクから重力作用によって流れ出た遊技球を整列させて前記払出通路に送るタンクレール部材と、
を備えた遊技機であって、
前記本体枠は、前記外枠に対し閉じられた状態において、前記遊技板部の側部を前記外枠の内端に近接させるように形成され、前記遊技板部の側部と前記外枠の内端との間に、薄肉状の本体枠側壁部を有し、
前記本体枠側壁部は、後方へ延設されると共に、その後端に、内側方向へ延設されて前記遊技演出ユニットの後面に位置する後壁部を有しており、
前記タンクレール部材は、前記賞球タンクおよび前記後壁部よりも後方に位置するかたちで突出しているとともに、
前記払出装置及び前記払出通路は、前記後壁部の背面側に配置されている
ことを特徴とする遊技機。
【請求項２】
前記後壁部は、前記本体枠側壁部のうち前記外枠に対する前記本体枠の開閉軸側に形成された開閉軸側側壁部の後端に延設されている
ことを特徴とする請求項１に記載の遊技機。
【請求項３】
前記払出装置は、前記本体枠の下部に位置している
ことを特徴とする請求項１または請求項２に記載の遊技機。
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられた本体枠と、
遊技球が設置される遊技島から供給される遊技球を貯留可能なタンク部と、
前記タンク部よりも後方側の位置まで遊技球が導かれるように、前記タンク部から後方側に延設されるかたちで形成された後方延設部と、
前記タンク部よりも後方側の位置にて前記後方延設部から遊技球の供給を受けるとともに、該後方延設部からの遊技球を下流側へと流下させる球通路と、
遊技領域を有する遊技板部、及び、該遊技板部の裏面側に演出領域を有する裏部材が設けられ、前記本体枠に収容される遊技演出ユニットと、
を備え、前記遊技演出ユニットを収容した状態で前記本体枠が前記外枠に対して閉じられた状態では、前記遊技板部の側部が前記外枠の縦方向の内周壁に近接させるように形成された遊技機であって、
前記球通路は、前記タンク部から後方側に延設された前記後方延設部から遊技球の供給を受けるとともに、該後方延設部からの遊技球を下流側へと流下させるものであり、
前記本体枠は、前記外枠に対し閉じられた状態において前記遊技板部の側部と前記外枠の縦方向の内周壁との間に、薄肉状の本体枠側壁部を有し、
前記外枠に対して前記本体枠が軸支される側の前記本体枠側壁部は、前方から後方に向けて直線状に形成されている
ことを特徴とする遊技機。
【請求項２】
請求項１に記載の遊技機において、
前記本体枠に対して開閉可能な扉枠がさらに設けられてなる遊技機。
【請求項３】
請求項１または２に記載の遊技機において、
遊技者が操作可能な操作ハンドルがさらに設けられてなり、該操作ハンドルの操作に応じて前記遊技領域に遊技球が打ち込まれる遊技機。
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられる本体枠と、
遊技球が設置される遊技島から供給される遊技球を貯留可能なタンク部と、
前記タンク部よりも後方側の位置まで遊技球が導かれるように、前記タンク部から後方側に延設されるかたちで形成された後方延設部と、
前記タンク部よりも後方側の位置にて前記後方延設部から遊技球の供給を受けるとともに、該後方延設部からの遊技球を下流側へと流下させる球通路と、
前記球通路中に設けられ、遊技の進行に応じて遊技球を払い出す払出装置と、
を備えることを特徴とする遊技機。
【請求項２】
請求項１に記載の遊技機において、
前記本体枠に対して開閉可能な扉枠がさらに設けられてなる遊技機。
【請求項３】
請求項１または２に記載の遊技機において、
遊技者が操作可能な操作ハンドルがさらに設けられてなり、該操作ハンドルの操作に応じて前記遊技領域に遊技球が打ち込まれる遊技機。
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールの停止状態において、役毎に予め定められた入賞形態を示す図柄組合せが入賞判定ライン上に表示されたことに基づいて、役が入賞するように設けられた遊技機であって、
入賞に伴い遊技媒体の払い出しが行われる小役と、入賞に伴い遊技状態を通常状態よりも遊技媒体を獲得しやすいボーナス状態へ移行させるボーナスとを含む複数種類の役の当否を決定する内部抽選を行う抽選手段と、
前記複数のリールを回転させる制御と、回転中の前記複数のリールを前記内部抽選の結果に応じて停止させる制御とを行うリール制御手段と、
前記通常状態と前記ボーナス状態とを含む複数種類の遊技状態の間で遊技状態を移行させる制御を行う遊技状態移行制御手段と、
前記ボーナス状態の終了を判定するカウンタの値を、前記ボーナス状態中に前記小役が入賞する毎に、遊技媒体の払い出し数に相当する値で更新するカウンタ更新手段とを備え、
前記遊技状態移行制御手段が、
前記内部抽選で当選したボーナスの入賞に伴って遊技状態をボーナス状態へ移行させるとともに、前記カウンタの値としきい値との間で所定の関係が成立したことに伴ってボーナス状態を終了させる制御を行い、
前記カウンタ更新手段が、
前記ボーナス状態中に、前記複数のリールの停止状態において特定の図柄組合せが入賞判定ライン上に表示されたことに基づいて、前記カウンタの値を所定値に更新することを特徴とする遊技機。
【請求項２】
外周面に複数種類の図柄が配列されている複数のリールの停止状態において、役毎に予め定められた入賞形態を示す図柄組合せが入賞判定ライン上に表示されたことに基づいて、役が入賞するように設けられた遊技機であって、
複数種類の役の当否を決定する内部抽選を行う抽選手段と、
前記複数のリールを回転させる制御と、回転中の前記複数のリールを前記内部抽選の結果に応じて停止させる制御とを行うリール制御手段と、
遊技上の特典が付与される特典付与状態への移行制御を行う特典付与状態移行制御手段と、
前記特典付与状態中の遊技において、特定の条件が成立する毎にカウンタの値を一定値ずつ更新するカウンタ更新手段とを備え、
前記特典付与状態移行制御手段が、
前記カウンタの値としきい値との間で所定の関係が成立したことに伴って前記特典付与状態を終了させる制御を行い、
前記カウンタ更新手段が、
前記特典付与状態中に、前記複数のリールの停止状態において特定の図柄組合せが入賞判定ライン上に表示されたことに基づいて、前記カウンタの値を所定値に更新することを特徴とする遊技機。
【請求項３】
請求項１または２において、
前記カウンタ更新手段が、
前記所定値として、前記カウンタの値を初期値に更新することを特徴とする遊技機。
【請求項４】
請求項１または２において、
前記カウンタ更新手段が、
前記所定値として、前記カウンタの値を、前記しきい値との間で所定の関係が成立する値に更新することを特徴とする遊技機。
【請求項５】
外周面に複数種類の図柄が配列されている複数のリールの停止状態において、役毎に予め定められた入賞形態を示す図柄組合せが入賞判定ライン上に表示されたことに基づいて、役が入賞するように設けられた遊技機であって、
複数種類の役の当否を決定する内部抽選を行う抽選手段と、
前記複数のリールを回転させる制御と、回転中の前記複数のリールを前記内部抽選の結果と停止操作の態様に応じて停止させる制御とを行うリール制御手段と、
遊技上の特典が付与される特典付与状態への移行制御を行う特典付与状態移行制御手段と、
前記特典付与状態中の遊技において、特定の条件が成立する毎にカウンタの値を一定値ずつ更新するカウンタ更新手段とを備え、
前記特典付与状態移行制御手段が、
前記カウンタの値としきい値との間で所定の関係が成立したことに伴って前記特典付与状態を終了させる制御を行い、
前記カウンタ更新手段が、
前記特典付与状態中に、内部抽選で所定の抽選結果が得られた場合に所定の態様で停止操作が行われたことに基づいて、前記カウンタの値を所定値に更新することを特徴とする遊技機。
【請求項６】
外周面に複数種類の図柄が配列されている複数のリールの停止状態において、役毎に予め定められた入賞形態を示す図柄組合せが入賞判定ライン上に表示されたことに基づいて、役が入賞するように設けられた遊技機であって、
複数種類の役の当否を決定する内部抽選を行う抽選手段と、
前記複数のリールを回転させる制御と、回転中の前記複数のリールを前記内部抽選の結果に応じて停止させる制御とを行うリール制御手段と、
遊技上の特典が付与される特典付与状態への移行制御を行う特典付与状態移行制御手段と、
前記特典付与状態中の遊技において、特定の条件が成立する毎にカウンタの値を一定値ずつ更新するカウンタ更新手段とを備え、
前記特典付与状態移行制御手段が、
前記カウンタの値としきい値との間で所定の関係が成立したことに伴って前記特典付与状態を終了させる制御を行い、
前記カウンタ更新手段が、
前記特典付与状態中に、前記複数のリールの停止状態において特定の図柄組合せが入賞判定ライン上に表示されたことに基づいて、前記特定付与状態が終了するように前記カウンタの値を更新することを特徴とする遊技機。
【請求項７】
外周面に複数種類の図柄が配列されている複数のリールの停止状態において、役毎に予め定められた入賞形態を示す図柄組合せが入賞判定ライン上に表示されたことに基づいて、役が入賞するように設けられた遊技機であって、
複数種類の役の当否を決定する内部抽選を行う抽選手段と、
前記複数のリールを回転させる制御と、回転中の前記複数のリールを前記内部抽選の結果に応じて停止させる制御とを行うリール制御手段と、
遊技上の特典が付与される特典付与状態への移行制御を行う特典付与状態移行制御手段と、
前記特典付与状態中の遊技において、特定の条件が成立する毎にカウンタの値を一定値ずつ更新するカウンタ更新手段とを備え、
前記特典付与状態移行制御手段が、
前記カウンタの値としきい値との間で所定の関係が成立したことに伴って前記特典付与状態を終了させる制御を行い、
前記カウンタ更新手段が、
前記特典付与状態中に、前記複数のリールの停止状態において特定の図柄組合せが入賞判定ライン上に表示されたことに基づいて、前記特定付与状態が延長されるように前記カウンタの値を更新することを特徴とする遊技機。
【手続補正２】
【補正対象書類名】明細書
【補正対象項目名】発明の名称
【補正方法】変更
【補正の内容】
【発明の名称】遊技機
【手続補正書】
【提出日】平成23年11月16日(2011.11.16)
【手続補正１】
【補正対象書類名】特許請求の範囲
【補正対象項目名】全文
【補正方法】変更
【補正の内容】
【特許請求の範囲】
【請求項１】
心拍出量決定のための生理的データ測定用中心静脈センサーアセンブリ（１）であって、前記測定アセンブリは：
患者（１５）の下大静脈（５）内に配置するための血管内遠位部、および前記患者（１５）の上大静脈（４）内に配置するための血管内近位部；
前記血管内遠位部に配置され、前記血管内近位部に向かう方向の血流を決定するための生の測定データを提供するようになされた遠位流束測定ユニット（７）；および、
前記血管内近位部に配置され、前記血管内遠位部に向かう方向の血流を決定するための生の測定データを提供するようになされた近位流束測定ユニット（６）；を備え、
前記中心静脈センサーアセンブリ（１）は、
前記遠位流束測定ユニット（７）からの生の測定データを受けるための第１入力チャンネル（９）、および前記近位流束測定ユニット（６）からの生の測定データを受けるための第２入力チャンネル（８）を備える評価ユニット（１０）に接続され、
前記評価ユニット（１０）は、
前記遠位流束測定ユニット（７）から受け取った前記生の測定データから第１血流を決定し；
前記近位流束測定ユニット（６）から受け取った前記生の測定データから第２血流を決定し；そして、
前記第１血流と前記第２血流の合計値として前記心拍出量を決定する；
ようになされている、中心静脈センサーアセンブリ（１）。
【請求項２】
前記流束測定ユニット（６、７）の内の少なくとも一つは、熱伝達デバイス（６ａ、７ａ）を備えて、前記熱伝達デバイス（６ａ、７ａ）の所定の温度を維持するのに必要な単位時間あたりエネルギ量を決定する、
請求項１の中心静脈センサーアセンブリ（１）。
【請求項３】
前記遠位流束測定ユニット（７）は：
遠位温度影響素子（７ａ）であって、前記遠位温度影響素子（７ａ）はそれを通過する血液の温度に影響を与える；および、
遠位温度センサ（７ｂ）であって、前記遠位温度センサ（７ｂ）は前記遠位温度影響素子（７ａ）に対して近位に配置される；を備える、
請求項１又は請求項２の中心静脈センサーアセンブリ（１）。
【請求項４】
前記遠位温度影響素子（７ａ）は加熱素子である、
請求項３の中心静脈センサーアセンブリ（１）。
【請求項５】
前記遠位温度影響素子（７ａ）は冷却素子である、
請求項３の中心静脈センサーアセンブリ（１）。
【請求項６】
前記近位流束測定ユニット（６）は：
近位温度影響素子（６ａ）であって、前記近位温度影響素子（６ａ）はそれを通過する血液の温度に影響を与える；および、
近位温度センサ（６ｂ）であって、前記近位温度センサ（６ｂ）は前記近位温度影響素子（６ａ）に対して遠位に配置される；を備える、
請求項１乃至請求項５の何れか一項の中心静脈センサーアセンブリ（１）。
【請求項７】
前記近位温度影響素子（６ａ）は冷却素子である、
請求項６の中心静脈センサーアセンブリ（１）。
【請求項８】
前記近位温度影響素子（６ａ）は加熱素子である、
請求項６の中心静脈センサーアセンブリ（１）。
【請求項９】
前記センサーアセンブリ（１）は、前記患者（１５）の下大静脈（５）内に配置するための遠位プローブ部、および前記患者（１５）の上大静脈（４）内に配置するための近位プローブ部を備えるプローブ（２０）を含み、
前記遠位流束測定ユニット（７）は、前記遠位プローブ部内に配置され、前記近位流束測定ユニット（６）は、前記近位プローブ部内に配置される、
請求項１乃至請求項８の何れか一項の中心静脈センサーアセンブリ（１）。
【請求項１０】
前記プローブを挿入して前記患者（１５）の上大静脈（４）および下大静脈（５）内に配置可能なカテーテル；をさらに備える、
請求項９の中心静脈センサーアセンブリ（１）。
【請求項１１】
前記センサーアセンブリ（１）は：
患者（１５）の上大静脈（４）内に配置するための延伸されたカテーテル本体（２）およびプローブ内腔を備える中心静脈カテーテル；および、
前記プローブ内腔に通して挿入するよう適合したプローブ（２０）であって、前記プローブ（２０）は、前記患者（１５）の下大静脈（５）内に配置するための遠位プローブ部を有する；を含み、
前記遠位流束測定ユニット（７）は、前記遠位プローブ部内に配置され、前記近位流束測定ユニット（６）は、前記カテーテル本体（２）内に一体化される、
請求項１乃至請求項８の何れか一項の中心静脈センサーアセンブリ（１）。
【請求項１２】
前記センサーアセンブリ（１）は、患者（１５）の下大静脈（５）内に配置するための遠位本体部、および前記患者（１５）の上大静脈（４）内に配置するための近位本体部をもつ延伸されたカテーテル本体（２）を有する中心静脈カテーテルを含み、
前記遠位流束測定ユニット（７）は、前記遠位本体部内に配置され、前記近位流束測定ユニット（６）は、前記近位本体部内に配置される、
請求項１乃至請求項８の何れか一項の中心静脈センサーアセンブリ（１）。
【請求項１３】
前記カテーテルは、圧力測定内腔を備える、
請求項１０乃至請求項１２の何れか一項の中心静脈センサーアセンブリ（１）。
【請求項１４】
前記評価ユニット（１０）はさらに：
前記遠位流束測定ユニット（７）および前記近位流束測定ユニット（６）からの前記生の測定データを用いる以外の方法で決定される基準心拍出量；
血管直径を表す校正値；および、
血管断面積を表す校正値；の内の少なくとも一つを用いて心拍出量決定を校正するようになされている、
請求項１乃至請求項１３の何れか一項の中心静脈センサーアセンブリ（１）。
【請求項１５】
前記校正値は、寸法、体重、年齢および性別等、その他の患者データに依拠する推測により決定される校正値である、
請求項１４の中心静脈センサーアセンブリ（１）。
【請求項１６】
前記校正値は、測定により決定される校正値である、
請求項１４の中心静脈センサーアセンブリ（１）。
【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
手術器具であって、
可換部品を着脱可能に受ける受け部を有する手術用エンドエフェクタであって、前記受け部は通信接続を有する手術用エンドエフェクタと、
前記エンドエフェクタに連結され、前記エンドエフェクタを作動させるハンドルであって、前記ハンドルが前記通信接続に電気的に接続され前記可換部品を認証する制御部を具えるハンドルと、
前記受け部に着脱可能に連結される可換部品であって、前記受け部において、前記通信接続に電気的に着脱可能に接続される暗号化装置を具える可換部品とを具え、前記暗号化装置は前記電気制御部から問い合わせを受けた場合に前記可換部品を認証するようプログラムされており、
前記可換部品は、在庫を形成する複数の可換部品の一部を構成するものであり、これら部品の各々は前記在庫における一意の識別子を有し、前記可換部品が少なくとも部分的に使用された後に、前記暗号化装置がこのエンドエフェクタでの当該可換部品の以降の使用を防止するために使用状況を当該可換部品の識別子に関連づけることを特徴とする器具。
【請求項２】
手術器具において、
手術用エンドエフェクタであって、
作動時に外科的処置を及ぼす１以上のアクチュエータと、
可換部品を着脱可能に受ける受け部であって、通信接続を有する受け部とを具えるエンドエフェクタと、
前記エンドエフェクタに連結され、作動アセンブリを作動させるハンドルであって、前記ハンドルが前記通信接続に電気的に接続され前記可換部品を認証する制御部を具えるハンドルと、
前記受け部に着脱可能に連結される可換部品であって、前記受け部において、前記通信接続に電気的に着脱可能に接続される１配線型の暗号化装置を具える可換部品とを具え、前記暗号化装置は前記電気制御部から問い合わせを受けた場合に暗号法を用いて前記可換部品を認証するようプログラムされており、
前記可換部品は、在庫を形成する複数の可換部品の一部を構成するものであり、これら部品の各々は前記在庫における一意の識別子を有し、前記可換部品が少なくとも部分的に使用された後に、前記暗号化装置がこのエンドエフェクタでの当該可換部品の以降の使用を防止するために使用状況を当該可換部品の識別子に関連づけることを特徴とする器具。
【請求項３】
請求項１に記載の器具において、前記暗号化装置は５０ｍｍ２未満の回路基板のフットプリントを有することを特徴とする器具。
【請求項４】
請求項１に記載の器具において、前記暗号化装置はマイクロプロセッサを有することを特徴とする器具。
【請求項５】
請求項４に記載の器具において、
前記コントローラは電源を有し、
一本の配線（one wire）が前記通信接続と前記コントローラとの間の電気接続を形成し、
前記暗号化装置は、
前記一本の配線を通して前記電源から電力が供給され、
前記一本の配線を通して前記コントローラとデータを送受信し、前記暗号化装置と前記コントローラが共通のアースを共有する１配線装置であることを特徴とする器具。
【請求項６】
請求項５に記載の器具において、前記コントローラが前記一本のワイヤを通して前記マイクロプロセッサに接続される第２のマイクロプロセッサを有する回路基板を有することを特徴とする器具。
【請求項７】
請求項１に記載の器具において、
前記部品は前記受け部での着座位置と、前記受け部に対する非着座位置とを有し、
前記部品が前記着座位置にある場合にのみ、前記暗号化装置と前記通信接続との間に前記電気接続が生じて前記部品の認証が可能となることを特徴とする器具。
【請求項８】
請求項２に記載の器具において、前記暗号化装置は５０ｍｍ２未満のプリント回路基板のフットプリントを有することを特徴とする器具。
【請求項９】
請求項２に記載の器具において、前記暗号化装置はマイクロプロセッサを有することを特徴とする器具。
【請求項１０】
請求項９に記載の器具において、
前記コントローラは電源を有し、
一本の配線（one wire）が前記通信接続と前記コントローラとの間の電気接続を形成し、 前記暗号化装置は、前記一本の配線を通して前記電源によって電力が供給され、前記一本の配線を通して前記コントローラとデータを送受信し、
前記暗号化装置および前記コントローラは共通のアースを共用することを特徴とする器具。
【請求項１１】
請求項１０に記載の器具において、前記コントローラは前記一本の配線を通して前記マイクロプロセッサに接続される第２のマイクロプロセッサを有する回路基板を具えることを特徴とする器具。
【請求項１２】
請求項２に記載の器具において、
前記部品は前記受け部での着座位置と、前記受け部に対する非着座位置とを有し、
前記部品が前記着座位置にある場合にのみ、前記暗号化装置と前記通信接続との間に前記電気接続が生じて前記部品の認証が可能となることを特徴とする器具。
【請求項１３】
手術器具であって、
作動時に外科的処置を及ぼす１以上の作動アセンブリと、可換部品を取り外し可能に受けるための受け部とを具え、前記受け部が通信接続を有する手術用エンドエフェクタと、
前記作動アセンブリを作動させるため前記エンドエフェクタに接続されるハンドルであって、
前記可換部品を認証するために一本の配線を通して前記通信接続に電気的に接続される第１のマイクロプロセッサを有するコントローラと、
少なくとも前記コントローラに電力を供給するための前記コントローラに電気的に接続される電源とを有するハンドルと、
前記受け部にある着座位置と、前記受け部に対する非着座位置とを有し、前記着座位置にある場合に前記通信接続に電気的に取り外し可能に接続される１配線暗号化装置を具える可換部品とを具え、
この部品が着座位置にある場合、前記第１のマイクロプロセッサを用いて前記可換部品を認証するようプログラムされた第２のマイクロプロセッサを有し、前記一本の配線を通して前記電源から電力が供給され、
前記暗号化装置および前記コントローラが共通のアースを共有することを特徴とする器具。
【請求項１４】
請求項１３に記載の装置において、前記部品が前記着座位置にある場合のみ、前記第２のマイクロプロセッサと前記通信接続との間に前記電気接続が存在することを特徴とする器具。
【手続補正書】
【提出日】平成24年11月8日(2012.11.8)
【手続補正１】
【補正対象書類名】特許請求の範囲
【補正対象項目名】全文
【補正方法】変更
【補正の内容】
【特許請求の範囲】
【請求項１】
被検体を載置する天板と、
前記天板を搭載して支持する天板支持部と、
前記天板支持部を搭載して支持する寝台と、
前記天板の前記寝台に対する移動を駆動する駆動手段と、
を有し、
前記天板は、前記天板支持部の対向面側に該天板を任意方向に移動可能にする機構を備え、
前記駆動手段は、前記天板を、長軸方向に移動させる縦送り機構と、左右方向に移動させる横送り機構とを備えたことを特徴とする寝台装置。
【請求項２】
請求項１記載の寝台装置において、
前記縦送り機構は、前記天板と共に該天板の左右方向に移動可能に前記天板支持部から支持され、
前記横送り機構は、前記天板支持部に固定され、前記縦送り機構を前記天板の左右方向に移動させることを特徴とする寝台装置。
【請求項３】
請求項２記載の寝台装置において、
前記縦送り機構は、前記天板に配置されたラックと、該ラックに係合されたギアと、該ギアを回転駆動するモータとを備えて構成され、
前記横送り機構は、前記縦送り機構に配置されたラックと、該ラックに係合されたギアと、該ギアを回転駆動するモータを備えて構成されたことを特徴とする寝台装置。
【請求項４】
被検体を載置する天板と、
前記天板を搭載して支持する天板支持部と、
前記天板支持部を搭載して支持する寝台と、
前記天板の前記寝台に対する移動を駆動する駆動手段と、
を有し、
前記駆動手段は、前記天板を、長軸方向に移動させる縦送り機構と、左右方向に移動させる横送り機構とを備え、
前記縦送り機構は、前記天板支持部に配置され、
前記横送り機構は、前記寝台に配置され、前記天板支持部を前記天板の左右方向に移動させることを特徴とする寝台装置。
【請求項５】
請求項４記載の寝台装置において、
前記縦送り機構は、前記天板に連結されたチェーンと、該チェーンに係合されて該チェーンを張る一対のスプロケットと、該一対のスプロケットの内の一方のスプロケットを回転駆動するモータとを有してなり、
前記横送り機構は、前記天板支持部に配置されたラックと、該ラックに係合されたギアと、該ギアを回転駆動するモータを備えて構成されたことを特徴とする寝台装置。
【請求項６】
請求項１乃至５のいずれか一項に記載の寝台装置を備えたことを特徴とする医用画像診断装置。
【請求項７】
請求項６記載の医用画像診断装置であって、
前記駆動手段は、前記天板を長軸方向の移動と左右方向の移動とを同時に駆動することにより、該天板を長軸方向に対して斜め方向に移動させることを特徴とする医用画像診断装置。
【請求項８】
請求項７に記載の医用画像診断装置において、
前記医用画像診断装置は磁気共鳴イメージング装置であり、
接続された受信コイルの前記天板上の配置位置を検出する手段と、
前記配置位置の静磁場空間の中心線からの距離に応じて、前記接続された受信コイルが前記静磁場空間の中心線上に配置されるように、前記天板の左右方向の移動を制御する制御手段と、を備えたことを特徴とする医用画像診断装置。
【請求項９】
請求項７に記載の医用画像診断装置において、
前記天板の左右方向の移動量を指定する操作部を有することを特徴とする医用画像診断装置。
【手続補正２】
【補正対象書類名】明細書
【補正対象項目名】０００８
【補正方法】変更
【補正の内容】
【０００８】
上記の目的を達成するために、本発明の寝台装置は、被検体を載置する天板と、天板を搭載して支持する天板支持部と、天板支持部を搭載して支持する寝台と、天板の寝台に対する移動を駆動する駆動手段と、を有し、駆動手段は天板を長軸方向に移動させる縦送り機構と、左右方向に移動させる横送り機構とを備えたことを特徴とする。また、本発明の医用画像診断装置は、このような寝台装置を備えたことを特徴とする。
【手続補正書】
【提出日】平成24年3月8日(2012.3.8)
【手続補正１】
【補正対象書類名】特許請求の範囲
【補正対象項目名】全文
【補正方法】変更
【補正の内容】
【特許請求の範囲】
【請求項１】
下地層と、
前記下地層上に積層され、ｓｐ２混成軌道を形成する炭素とｓｐ３混成軌道を形成する炭素との混合比が、積層方向に隣接する層間で異なる複数のダイヤモンドライクカーボン層と、を備え、
少なくとも最表層の前記ダイヤモンドライクカーボン層に凹部及び凸部を有するパターンが形成され、
前記凹部の底は前記下地層に達せず、前記凹部の側壁及び底部はダイヤモンドライクカーボンであることを特徴とするインプリント用テンプレート。
【請求項２】
下地層と、
前記下地層上に積層され、ｓｐ２混成軌道を形成する炭素とｓｐ３混成軌道を形成する炭素との混合比が、積層方向に隣接する層間で異なる複数のダイヤモンドライクカーボン層と、
を備えたことを特徴とするインプリント用ブランクス。
【請求項３】
下地層と、
前記下地層上に積層され、ｓｐ２混成軌道を形成する炭素とｓｐ３混成軌道を形成する炭素との混合比が、積層方向に隣接する層間で異なる複数のダイヤモンドライクカーボン層と、を備え、
少なくとも最表層の前記ダイヤモンドライクカーボン層に凹部及び凸部を有するパターンが形成されたことを特徴とするインプリント用テンプレート。
【請求項４】
ｓｐ２混成軌道を形成する炭素とｓｐ３混成軌道を形成する炭素との混合比が、積層方向に隣接する層間で異なる複数のダイヤモンドライクカーボン層を、下地層上に形成する工程と、
前記ダイヤモンドライクカーボン層に放射線を照射してオージェ電子を放出させる工程と、
前記オージェ電子のエネルギー分布を取得する工程と、
前記エネルギー分布に基づいて、前記放射線が照射されているダイヤモンドライクカーボン層を特定する工程と、
を備え、
前記エネルギー分布は、前記放射線が照射されたダイヤモンドライクカーボン層に含まれる炭素の１ｓ軌道のエネルギー分布であり、
前記放射線の照射と同時に前記ダイヤモンドライクカーボン層の選択的除去を行い、
前記エネルギー分布に基づいて、前記放射線の照射を停止することを特徴とするインプリント用テンプレートの製造方法。
【請求項５】
ｓｐ２混成軌道を形成する炭素とｓｐ３混成軌道を形成する炭素との混合比が、積層方向に隣接する層間で異なる複数のダイヤモンドライクカーボン層を、下地層上に形成する工程と、
前記ダイヤモンドライクカーボン層に放射線を照射してオージェ電子を放出させる工程と、
前記オージェ電子のエネルギー分布を取得する工程と、
前記エネルギー分布に基づいて、前記放射線が照射されているダイヤモンドライクカーボン層を特定する工程と、
を備えたことを特徴とするインプリント用テンプレートの製造方法。
【請求項６】
前記エネルギー分布は、前記放射線が照射されたダイヤモンドライクカーボン層に含まれる炭素の１ｓ軌道のエネルギー分布であることを特徴とする請求項４記載のインプリント用テンプレートの製造方法。
【請求項７】
前記放射線の照射と同時に前記ダイヤモンドライクカーボン層の選択的除去を行うことを特徴とする請求項５または６に記載のインプリント用テンプレートの製造方法。
【請求項８】
前記ダイヤモンドライクカーボン層を選択的に除去するエッチング工程をさらに備え、
前記エッチングされた部分に対して前記放射線を照射して前記オージェ電子のエネルギー分布を取得することで、前記エッチングにより露出している表面層を特定することを特徴とする請求項５または６に記載のインプリント用テンプレートの製造方法。
【請求項９】
前記エネルギー分布に基づいて、前記エッチングを停止することを特徴とする請求項８記載のインプリント用テンプレートの製造方法。
【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
微生物による生物学的処理に用いられ、該微生物に電子供与体を供給する電子供与体供給剤において、
重量平均分子量が略１２０００以下、結晶化度が１０％以上で且つ４０％以下であって使用環境の温度下で固体状態にあるポリ乳酸系樹脂を含むことを特徴とする電子供与体供給剤。
【請求項２】
前記ポリ乳酸系樹脂は、重量平均分子量が略９５００以上であることを特徴とする請求項１に記載の電子供与体供給剤。
【請求項３】
微生物による生物学的処理に用いられ、該微生物に電子供与体を供給する電子供与体供給剤の製造方法において、
原料のポリ乳酸系樹脂の分子量を低下させる低分子量化工程と、
その低分子量化工程にて低分子量化されたポリ乳酸系樹脂を、その融点以上の温度で融解する融解工程と、
その融解工程により融解されたポリ乳酸系樹脂を、融点未満の温度でアニールするアニール工程とを有し、
そのアニール工程により結晶化させて固体状態としたポリ乳酸系樹脂を用いて電子供与体供給剤を製造することを特徴とする電子供与体供給剤の製造方法。
【請求項４】
前記低分子量化工程は、重量平均分子量が略９５００以上で且つ略１２０００以下の範囲となるように、原料のポリ乳酸系樹脂を低分子量化するものであることを特徴とする請求項３に記載の電子供与体供給剤の製造方法。
【請求項５】
前記アニール工程は、前記ポリ乳酸系樹脂の結晶化度が、１０％以上で且つ４０％以下となるようにアニールを行うものであることを特徴とする請求項３又は４に記載の電子供与体供給剤の製造方法。
【請求項６】
生物学的処理によって被処理物質中の特定成分を無害化する環境浄化方法において、
請求項１若しくは２に記載の電子供与体供給剤又は請求項３から５のいずれかに記載の製造方法によって製造された電子供与体供給剤を用いて生物学的処理を行うことを特徴とする環境浄化方法。
【請求項７】
前記被処理物質は水系の液体であり、
前記特定成分は、窒素化合物であり、
前記電子供与体供給剤を用いて液中の窒素化合物を除去する脱窒処理を行うことを特徴とする請求項６に記載の環境浄化方法。
【請求項８】
前記ポリ乳酸系樹脂に含まれるポリ乳酸が、前記被処理物質中において、略３ｗ／ｖ％の濃度となるように投入されていることを特徴とする請求項７に記載の環境浄化方法。
【請求項９】
前記被処理物質は、土壌であり、
前記特定成分は、窒素化合物であり、
前記電子供与体供給剤を用いて土壌中の窒素化合物を除去する脱窒処理を行うことを特徴とする請求項６に記載の環境浄化方法。
【請求項１０】
酢酸と乳酸とが添加された硝酸含有水溶液を用い、該水溶液中で増殖する微生物を集積培養し、その集積培養微生物を前記被処理物質中に添加することを特徴とする請求項７から９のいずれかに記載の環境浄化方法。
【手続補正２】
【補正対象書類名】明細書
【補正対象項目名】０１１３
【補正方法】変更
【補正の内容】
【０１１３】
【表２】
2011104551.tif 000001
【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
遊技球を用いて所定の遊技を行うことが可能であり、所定の移行条件の成立にもとづいて遊技者にとって有利な特定遊技状態に移行させる遊技機であって、
可変表示の第１実行条件が成立したことにもとづいて各々を識別可能な第１識別情報の可変表示を開始し表示結果を導出表示する第１可変表示手段と、
可変表示の第２実行条件が成立したことにもとづいて各々を識別可能な第２識別情報の可変表示を開始し表示結果を導出表示する第２可変表示手段と、
前記特定遊技状態において遊技球が入賞しない閉鎖状態と遊技球が入賞可能な開放状態とに変化可能な可変入賞球装置と、
前記可変入賞球装置に入賞した遊技球を検出して検出信号を出力する検出手段と、
遊技球が進入しにくいまたは進入しない閉状態と遊技球が進入可能な開状態とに変化可能な可変始動入賞装置とを備え、
前記第２実行条件は、前記可変始動入賞装置に遊技球が進入したことにもとづいて成立し、
遊技の進行を制御する遊技制御手段と、
前記遊技制御手段が送信するコマンドにもとづいて、演出装置の制御を行う演出制御手段とを備え、
前記遊技制御手段は、
遊技状態を示すデータにもとづいて前記第１可変表示手段および前記第２可変表示手段と前記可変入賞球装置との状態を制御する状態制御手段を含み、
前記状態制御手段は、
前記特定遊技状態として、前記可変入賞球装置を第１期間前記開放状態に制御する第１特定遊技状態、または前記可変入賞球装置を前記第１期間とは異なる第２期間前記開放状態に制御する第２特定遊技状態に移行させることが可能であり、
前記第１実行条件が成立した場合と前記第２実行条件が成立した場合とで、異なる割合で、前記第１特定遊技状態と前記第２特定遊技状態とを選択する特定遊技状態選択手段を含み、
前記遊技状態を示すデータが所定値であるときに前記可変入賞球装置を開放状態に制御し、
前記遊技制御手段は、
遊技機への電力供給が開始されたときに、バックアップ記憶手段が記憶する記憶内容を初期化する初期化処理を実行する初期化手段と、
前記初期化手段により前記初期化処理が実行されたときにその旨を報知させるための初期化コマンドを前記演出制御手段に送信する初期化コマンド送信手段と、
前記特定遊技状態以外の遊技状態において前記検出手段によって遊技球の入賞が検出されたことにもとづいて、異常入賞が発生したか否かを判定する異常入賞判定手段と、
前記異常入賞判定手段の判定結果にもとづいて異常報知コマンドを送信する異常報知コマンド送信手段とを含み、
前記異常入賞判定手段は、前記遊技状態を示すデータが所定値以上の数値であるときに前記異常入賞が発生したか否かを判定するための処理を実行せず、
前記演出制御手段は、
前記初期化コマンドを受信したことにもとづいて前記初期化処理が実行された旨を示す初期化報知を行う初期化報知手段と、
前記異常報知コマンドを受信したことにもとづいて異常報知を行う異常報知手段とを含み、
前記初期化報知手段は、前記異常報知手段による前記異常報知に優先して前記初期化報知を行う
ことを特徴とする遊技機。
【手続補正２】
【補正対象書類名】明細書
【補正対象項目名】００１０
【補正方法】変更
【補正の内容】
【００１０】
（手段１）本発明による遊技機は、遊技球を用いて所定の遊技を行うことが可能であり、所定の移行条件の成立にもとづいて遊技者にとって有利な特定遊技状態（例えば、大当り遊技状態または小当り遊技状態；具体的には特別図柄通常処理におけるステップＳ３０５〜Ｓ３１１の処理が実行されている状態）に移行させる遊技機であって、可変表示の第１実行条件が成立（例えば、第１始動入賞口１３への入賞）したことにもとづいて各々を識別可能な第１識別情報（例えば第１特別図柄）の可変表示を開始し表示結果を導出表示する第１可変表示手段（例えば、第１特別図柄表示器８ａ）と、可変表示の第２実行条件が成立（例えば、第２始動入賞口１４への入賞）したことにもとづいて各々を識別可能な第２識別情報（例えば第１特別図柄）の可変表示を開始し表示結果を導出表示する第２可変表示手段（例えば、第２特別図柄表示器８ｂ）と、特定遊技状態において遊技球が入賞しない閉鎖状態と遊技球が入賞可能な開放状態とに変化可能な可変入賞球装置（例えば、大入賞口を構成する特別可変入賞球装置２０）と、可変入賞球装置に入賞した遊技球を検出して検出信号を出力する検出手段（例えば、カウントスイッチ２３）と、遊技球が進入しにくいまたは進入しない閉状態と遊技球が進入可能な開状態とに変化可能な可変始動入賞装置とを備え、第２実行条件は、可変始動入賞装置に遊技球が進入したことにもとづいて成立し、遊技の進行を制御する遊技制御手段と、遊技制御手段が送信するコマンドにもとづいて、演出装置の制御を行う演出制御手段とを備え、遊技制御手段は、遊技状態を示すデータにもとづいて第１可変表示手段および第２可変表示手段と可変入賞球装置との状態を制御する状態制御手段を含み、状態制御手段は、特定遊技状態として、可変入賞球装置を第１期間開放状態に制御する第１特定遊技状態、または可変入賞球装置を第１期間とは異なる第２期間開放状態に制御する第２特定遊技状態に移行させることが可能であり、第１実行条件が成立した場合と第２実行条件が成立した場合とで、異なる割合で、第１特定遊技状態と第２特定遊技状態とを選択する特定遊技状態選択手段を含み、遊技状態を示すデータが所定値であるときに可変入賞球装置を開放状態に制御し、遊技制御手段は、遊技機への電力供給が開始されたときに、バックアップ記憶手段が記憶する記憶内容を初期化する初期化処理を実行する初期化手段と、初期化手段により初期化処理が実行されたときにその旨を報知させるための初期化コマンドを演出制御手段に送信する初期化コマンド送信手段と、特定遊技状態以外の遊技状態において検出手段によって遊技球の入賞が検出されたことにもとづいて、異常入賞が発生したか否かを判定する異常入賞判定手段と、異常入賞判定手段の判定結果にもとづいて異常報知コマンドを送信する異常報知コマンド送信手段とを含み、異常入賞判定手段は、遊技状態を示すデータが所定値以上の数値であるときに異常入賞が発生したか否かを判定するための処理を実行せず、演出制御手段は、初期化コマンドを受信したことにもとづいて初期化処理が実行された旨を示す初期化報知を行う初期化報知手段と、異常報知コマンドを受信したことにもとづいて異常報知を行う異常報知手段とを含み、初期化報知手段は、異常報知手段による異常報知に優先して初期化報知を行うことを特徴とする。
このような構成によれば、異常入賞を的確に検出し判定することができる。
【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
遊技球を用いて所定の遊技を行うことが可能な遊技機であって、
遊技球が進入可能な開放状態と遊技球が進入不可能な閉鎖状態とに変化可能な可変入賞装置と、
所定の開放条件が成立したときに前記可変入賞装置を閉鎖状態から開放状態に変化させる可変入賞装置制御手段と、
前記可変入賞装置に進入した遊技球を検出して入賞検出信号を出力する入賞検出手段と、
前記可変入賞装置制御手段によって前記可変入賞装置が開放状態に制御されていないときに、前記入賞検出手段が前記入賞検出信号を出力したことにもとづいて、異常入賞が発生したと判定する異常入賞判定手段と、
前記異常入賞判定手段によって前記異常入賞が発生したと判定されたことにもとづいて、前記異常入賞が発生したことを示す異常報知を実行する異常報知手段と、
遊技機への電力供給が停止していても記憶内容を所定期間保持可能なバックアップ記憶手段と、
遊技機への電力供給が開始されたときに、前記バックアップ記憶手段が記憶する記憶内容を初期化する初期化処理を実行する初期化手段と、
前記初期化処理が実行されたことを示す初期化報知を実行する初期化報知手段とを備え、
前記異常報知手段は、前記初期化報知手段による前記初期化報知が終了した後に前記異常報知を実行可能である
ことを特徴とする遊技機。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明は、異常入賞が発生したことを認識させることができる遊技機を提供することを目的とする。
【手続補正４】
【補正対象書類名】明細書
【補正対象項目名】０００９
【補正方法】変更
【補正の内容】
【０００９】
本発明による遊技機は、遊技球を用いて所定の遊技を行うことが可能な遊技機であって、遊技球が進入可能な開放状態と遊技球が進入不可能な閉鎖状態とに変化可能な可変入賞装置（例えば、特別可変入賞球装置２０、可変入賞球装置１５）と、所定の開放条件が成立（例えば、特別図柄の可変表示結果が大当りとなって大当り遊技状態に移行したこと、普通図柄の可変表示結果が当りとなったこと）したときに可変入賞装置を閉鎖状態から開放状態に変化させる可変入賞装置制御手段（例えば、遊技制御用マイクロコンピュータ５６０におけるステップＳ１４７６を実行する部分。遊技制御用マイクロコンピュータ５６０におけるステップＳ４１７１を実行して可変入賞球装置１５を開放状態に制御する部分）と、可変入賞装置に進入した遊技球を検出して入賞検出信号を出力する入賞検出手段（例えば、カウントスイッチ２３、第２始動口スイッチ１４ａ）と、可変入賞装置制御手段によって可変入賞装置が開放状態に制御されていないときに、入賞検出手段が入賞検出信号を出力したことにもとづいて、異常入賞が発生したと判定する異常入賞判定手段（例えば、遊技制御用マイクロコンピュータ５６０におけるステップＳ２５５〜Ｓ２５９，Ｓ２６３を実行する部分。ステップＳ２６７〜Ｓ２７１，Ｓ２７５を実行する部分）と、異常入賞判定手段によって異常入賞が発生したと判定されたことにもとづいて、異常入賞が発生したことを示す異常報知（例えば、異常入賞報知、始動異常入賞報知）を実行する異常報知手段（例えば、演出制御用マイクロコンピュータ１００におけるステップＳ８３５Ａ，Ｓ８３５Ｃ，Ｓ８４６，Ｓ８４７Ｂ，Ｓ１９０６〜Ｓ１９１６，Ｓ１９０６Ａ〜Ｓ１９１６を実行する部分）と、遊技機への電力供給が停止していても記憶内容を所定期間保持可能なバックアップ記憶手段と、遊技機への電力供給が開始されたときに、バックアップ記憶手段が記憶する記憶内容を初期化する初期化処理を実行する初期化手段と、初期化処理が実行されたことを示す初期化報知を実行する初期化報知手段とを備え、異常報知手段は、初期化報知手段による初期化報知が終了した後に異常報知を実行可能であることを特徴とする。
そのような構成により、異常入賞が発生したことを認識させることができる。
【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
医療用皮膚アプリケーター装置であって：
長軸方向軸を規定し、そして外壁を有する外側ハウジング；
該外側ハウジングに連結されたアプリケーターであって、アプリケーターフレームおよびアプリケーター部材を含み、該アプリケーターフレームが内部貫通部材を有し、該アプリケーター部材が該アプリケーター部材の長さに沿って延びる長軸方向軸を規定し、そして平面図として、先導端部から後続端部まで：
外側先導表面；
外側後続表面；
該先導表面と該後続表面との間で該長軸方向軸に沿って延びる対向する外側表面；
少なくとも該外側ハウジング内に配置され、そして医薬を貯蔵し、そして選択的に放出するための流体チャンバーを有する流体ハウジングであって、該内部貫通部材で該流体チャンバーにアクセスするために第１の遷移位置から第２の作動位置までの移動のための寸法であり、かつ適合され、該医薬が適用されるべき該流体チャンバーから患者に該アプリケーター部材で分与される、流体ハウジング；および
該流体ハウジングに作動可能に連結され、そして該外側ハウジングを超えて延びる手動で係合可能な部材であって、該流体ハウジングの該第２の作動位置への長軸方向移動を引き起こすように手動操作により押し下げ可能であり、離脱可能に取り付けられた離脱可能タグを含み、該離脱可能タグが該第１の遷移位置にある該流体ハウジングを選択的に固定し、そして進行されるべき該手動で係合可能な部材が該流体ハウジングを該第２の作動位置に移動することを可能にするために除去可能である、手動で係合可能な部材、を規定する、医療用皮膚アプリケーター装置。
【請求項２】
前記離脱可能タグが、前記手動で係合可能な部材中に規定されるボア内に離脱可能に受容可能であり、該離脱可能タグが、該ボア内に位置決めされるとき、該手動で係合可能な部材の進行を防ぐ寸法である、請求項１に記載の医療用皮膚アプリケーター装置。
【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
複数のノズルの開口端が配列されたノズル面を有し、該ノズルから媒体に流体を噴射する流体噴射ヘッドを備え、前記ノズルから流体を吸収する吸収部材に向けて流体を噴射するフラッシング動作を行える流体噴射装置であって、
前記吸収部材は、複数の前記ノズルを直線状に並べたノズル列に沿って延在する線状部材であり、
前記ノズルに対向するフラッシング位置と、前記流体が噴射される方向と逆方向に向かって前記ノズル面より引っ込んだ退避位置との間で、前記吸収部材を移動させる第一移動機構を少なくとも備えることを特徴とする流体噴射装置。
【請求項２】
前記移動機構は、前記吸収部材を前記ノズル面と平行に移動させる第一移動部材と、前記吸収部材を前記ノズル面と退避位置との間で上下動させる第二移動部材とから構成されることを特徴とする請求項１記載の流体噴射装置。
【請求項３】
前記第二移動部材は、前記ノズル面から前記退避位置に向けて傾斜した傾斜面を有する摺動回転体からなり、該傾斜面と前記吸収部材とが接触すると、前記第一移動部材による前記吸収部材の移動力によって前記摺動回転体が回動することを特徴とする請求項２記載の流体噴射装置。
【請求項４】
前記第二移動部材は、前記フラッシング位置から前記退避位置の直下に向けて前記吸収部材が移動した際に、前記吸収部材の一部と係合する係合溝を有する従動回転体からなり、該係合溝と前記吸収部材とが係合すると、前記第一移動部材による前記吸収部材の移動力によって前記従動回転体が回動することを特徴とする請求項２記載の流体噴射装置。
【請求項５】
前記第二移動部材は、前記フラッシング位置から前記退避位置の直下に前記吸収部材が移動した際に、該吸収部材の一部を保持し、前記流体が噴射される方向と逆方向に向かって前記退避位置まで前記吸収部材を掬い上げる上下動部材であることを特徴とする請求項２記載の流体噴射装置。
【請求項６】
前記移動機構は、前記ノズル列の延在方向における前記流体噴射ヘッドの両側で前記吸収部材を支持し、前記退避位置と前記フラッシング位置とを結ぶ周面に沿って、前記吸収部材を円運動させる揺動部材であることを特徴とする請求項１記載の流体噴射装置。
【手続補正２】
【補正対象書類名】明細書
【補正対象項目名】０００８
【補正方法】変更
【補正の内容】
【０００８】
前記移動機構は、前記吸収部材を前記ノズル面と平行に移動させる第一移動部材と、前記吸収部材を前記ノズル面と退避位置との間で上下動させる第二移動部材とから構成されればよい。
【手続補正３】
【補正対象書類名】明細書
【補正対象項目名】００１０
【補正方法】変更
【補正の内容】
【００１０】
前記移動機構は、前記ノズル列の延在方向における前記流体噴射ヘッドの両側で前記吸収部材を支持し、前記退避位置と前記フラッシング位置とを結ぶ周面に沿って、前記吸収部材を円運動させる揺動部材であればよい。